(57)【要約】      （修正有）【課題】ヤゲン台移動時の取扱い性、作業性を改善するヤゲン台のハンドリング装置を提供する。【解決手段】ヤゲン台１に装着されるヤゲン台のハンドリング装置１３であって、前記ヤゲン台は傾斜された時に接地するローラ６と、配管が載置されるブロック部１１とを有し、前記ヤゲン台のハンドリング装置が前記ブロック部に嵌合する嵌込み部１４と、該嵌込み部を前記ブロック部に嵌合した状態で、該ブロック部と直行する面の上端部から延伸する取手部１５とを具備する。【選択図】図３
2015131369.tif 000002
【特許請求の範囲】
【請求項１】
ヤゲン台に装着されるヤゲン台のハンドリング装置であって、前記ヤゲン台は傾斜された時に接地するローラと、配管が載置されるブロック部とを有し、前記ヤゲン台のハンドリング装置が前記ブロック部に嵌合する嵌込み部と、該嵌込み部を前記ブロック部に嵌合した状態で、該ブロック部と直行する面の上端部から延伸する取手部とを具備することを特徴とするヤゲン台のハンドリング装置。
【請求項２】
前記取手部は、前記嵌込み部を前記ブロック部に嵌合させた際に前記ヤゲン台の進行方向と平行となり、該ヤゲン台を傾けた際に略水平となる方向に延伸する請求項１のヤゲン台のハンドリング装置。
【請求項３】
前記取手部は、前記ヤゲン台が転倒した際に、該ヤゲン台と地面との間に隙間を形成する形状を有する請求項１又は請求項２のヤゲン台のハンドリング装置。
【発明の詳細な説明】
【技術分野】
【０００１】
本発明は、超大径の配管を支持する際に用いられるヤゲン台を移動させる為のヤゲン台のハンドリング装置に関するものである。
【背景技術】
【０００２】
直径が３５０ｍｍ以上の超大径の配管は、ヤゲン台により支持される。該ヤゲン台は、台座及び該台座の上方に支持されたブロック部を有する。前記ヤゲン台を前記配管の長さに合わせて複数台設置し、前記ブロック部間に前記配管を載置することで該配管が前記ヤゲン台に支持される様になっている。
【０００３】
又、該ヤゲン台の前記台座の側面には移動用のローラが設けられており、前記ヤゲン台を移動させる際には、作業者が前記ブロック部を持って前記ヤゲン台を傾けて前記ローラを接地させ、該ローラを介して前記ヤゲン台が支持される状態とし、該ヤゲン台を移動させていた。
【０００４】
然し乍ら、該ヤゲン台は、例えば１２０ｋｇ程の重量物であり、傾けた状態で該ヤゲン台を支持する場合、前記ブロック部は持ち易い形状ではなく、取扱い性が悪く安定性に欠ける。又、移動の際誤って傾けすぎた場合に前記ヤゲン台が転倒する虞もあった。
【発明の概要】
【発明が解決しようとする課題】
【０００５】
本発明は斯かる実情に鑑み、ヤゲン台移動時の取扱い性、作業性を改善するヤゲン台のハンドリング装置を提供するものである。
【課題を解決するための手段】
【０００６】
本発明は、ヤゲン台に装着されるヤゲン台のハンドリング装置であって、前記ヤゲン台は傾斜された時に接地するローラと、配管が載置されるブロック部とを有し、前記ヤゲン台のハンドリング装置が前記ブロック部に嵌合する嵌込み部と、該嵌込み部を前記ブロック部に嵌合した状態で、該ブロック部と直行する面の上端部から延伸する取手部とを具備するヤゲン台のハンドリング装置に係るものである。
【０００７】
又本発明は、前記取手部は、前記嵌込み部を前記ブロック部に嵌合させた際に前記ヤゲン台の進行方向と平行となり、該ヤゲン台を傾けた際に略水平となる方向に延伸するヤゲン台のハンドリング装置に係るものである。
【０００８】
更に又本発明は、前記取手部は、前記ヤゲン台が転倒した際に、該ヤゲン台と地面との間に隙間を形成する形状を有するヤゲン台のハンドリング装置に係るものである。
【発明の効果】
【０００９】
本発明によれば、ヤゲン台に装着されるヤゲン台のハンドリング装置であって、前記ヤゲン台は傾斜された時に接地するローラと、配管が載置されるブロック部とを有し、前記ヤゲン台のハンドリング装置が前記ブロック部に嵌合する嵌込み部と、該嵌込み部を前記ブロック部に嵌合した状態で、該ブロック部と直行する面の上端部から延伸する取手部とを具備するので、該取手部を介して前記ヤゲン台の姿勢を容易に安定させ、容易に移動させることができ、該ヤゲン台の取扱い性、作業性を向上させることができるという優れた効果を発揮する。
【図面の簡単な説明】
【００１０】
【図１】本発明の実施例に係るハンドリング装置が適用されるヤゲン台であり、（Ａ）はヤゲン台の平面図を示し、（Ｂ）はヤゲン台の正面図を示し、（Ｃ）はヤゲン台の側面図を示している。
【図２】本発明の実施例に係るハンドリング装置であり、（Ａ）はハンドリング装置の正面図を示し、（Ｂ）はハンドリング装置の側面図を示している。
【図３】本発明の実施例に係るハンドリング装置及びヤゲン台であり、（Ａ）はヤゲン台への取付けを説明する説明図を示し、（Ｂ）はヤゲン台の移動を説明する説明図を示している。
【図４】本発明の実施例に係るハンドリング装置が装着されたヤゲン台が転倒した状態を示す側面図である。
【発明を実施するための形態】
【００１１】
以下、図面を参照しつつ本発明の実施例を説明する。
【００１２】
先ず、図１（Ａ）〜（Ｃ）に於いて、本発明の実施例に係るヤゲン台のハンドリング装置が適用されるヤゲン台１について説明する。
【００１３】
該ヤゲン台１は、台座部２と、該台座部２に立設された支持部３を有している。前記台座部２は、矩形の板状の平板部４と、該平板部４の下面に固着された接地枠部５から構成されている。該接地枠部５は、前記平板部４の外形に沿う矩形の枠体となっており、前記接地枠部５の一側面には１対のローラ６が設けられている。
【００１４】
前記支持部３は、脚部７と、該脚部７の上端に設けられた一対のブロック部枠９，９と、該ブロック部枠９，９にそれぞれ収納されたブロック部１１，１１とを有している。
【００１５】
前記脚部７は、下方で２股に分れた板部材であり、該脚部７の上端にはＶ字状の凹部８が形成され、該凹部８に前記ブロック部枠９，９が対向する様に設けられている。前記ブロック部１１，１１は例えば直方体形状に形成されたゴム体であり、前記ブロック部枠９，９にそれぞれ収納され、固定されることで、前記ブロック部１１，１１がＶ字状をなす。又、前記脚部７には、該脚部７の倒れを防止する補強板１２が前記脚部７と前記平板部４に掛渡って固着されている。
【００１６】
前記ブロック部１１，１１がなす角度は直角又は略直角となっており、該ブロック部１１，１１は配管支持部を構成し、該ブロック部１１，１１間に配管が載置される様になっている。
【００１７】
前記ヤゲン台１は、通常時には前記接地枠部５の下面全面が地面と接触し、前記ローラ６が地面と接触していないので、安定して前記ヤゲン台１に掛る荷重を支持することができる。又、移動時には該ヤゲン台１を傾けることで、前記接地枠部５が地面から離反し、前記ローラ６が接地する。該ローラ６が接地した状態では、該ローラ６を介して前記ヤゲン台１が支持されるので、該ヤゲン台１の移動が可能となる。
【００１８】
次に、図２（Ａ）、（Ｂ）に於いて、該ヤゲン台１に適用されるハンドリング装置１３について説明する。尚、図２（Ａ）は該ハンドリング装置１３の正面図を示し、図２（Ｂ）は該ハンドリング装置１３の右側面図を示している。
【００１９】
該ハンドリング装置１３は、一対のハンドル部１０，１０から構成され、該ハンドル部１０は前記ブロック部１１に着脱可能となっている。又、前記一対のハンドル部１０，１０は同一構造であるので、以下では一方のハンドル部１０について説明する。
【００２０】
該ハンドル部１０は、直方体形状の嵌込み部１４と、該嵌込み部１４に溶接により固着された取手部１５から構成されている。
【００２１】
前記嵌込み部１４は、両端が開放された筒状であり、内部に前記ブロック部１１が挿入される取付け孔１６が形成される。又、前記嵌込み部１４の下面には下端が開放された長辺と平行なスリット１７が形成されている。前記取付け孔１６の開口面積は、前記ブロック部１１に容易に嵌込み可能な大きさ、例えば該ブロック部１１よりも縦横共に５ｍｍ程度大きくなっており、前記嵌込み部１４の長辺の長さは、前記ブロック部１１の長辺の長さと略同等となっている。
【００２２】
前記スリット１７の幅は、前記脚部７の板厚よりも僅かに大きい程度、例えば５ｍｍ程度大きくなっている。前記取付け孔１６を介して前記嵌込み部１４を前記ブロック部１１に嵌合させ、前記ヤゲン台１に前記ハンドリング装置１３を装着した際には、前記ブロック部１１が全長に亘って前記取付け孔１６に挿入され、前記嵌込み部１４に覆われる。又この時、前記スリット１７に前記脚部７が挿入され、該脚部７が前記ハンドリング装置１３の装着の障害とならない様になっている。尚、前記ブロック部１１，１１に取付けられた前記嵌込み部１４，１４のなす角度は直角よりも大きい角度（９５°〜１１０°）、例えば１００°程度となる。
【００２３】
前記取手部１５は、前記スリット１７が形成されている面と直行する面で、前記ハンドリング装置１３が前記ブロック部１１，１１に装着された状態に於ける上端部に固着されている。前記取手部１５は、前記ハンドリング装置１３を前記ヤゲン台１に装着した際に、前記ローラ６の回転方向と平行となる方向に延伸すると共に、前記ヤゲン台１を移動させる為に傾けた際に、略水平となる方向に延伸している。
【００２４】
尚、前記取手部１５が延伸する方向は、例えば前記嵌込み部１４の前記取手部１５の固着面から前記スリット１７の開口方向と逆側の方向に向って１３０°程度傾斜した方向であり、前記嵌込み部１４の前記取手部１５の固着面から上方に向って１３５°程度傾斜した方向となっている。又、前記取手部１５が延伸する長さは、例えば前記嵌込み部１４の側面と前記取手部１５の端部との水平方向の距離が３０ｃｍ程度となる長さとなっている。
【００２５】
又、前記取手部１５の先端部には、所定の曲率で下方に向って円弧状に１８０°屈曲させた屈曲部１８が形成されている。又、前記ハンドリング装置１３を前記ブロック部１１，１１に装着した状態で、前記ヤゲン台１が倒れ、前記取手部１５が接地した場合（図４参照）、前記嵌込み部１４の下面と地面１９との隙間Ｈが、少なくとも作業者の靴の高さより大きくなる様に前記屈曲部１８の曲率等が設定される。
【００２６】
次に、図３（Ａ）（Ｂ）に於いて、前記ハンドリング装置１３を前記ヤゲン台１に装着し、該ヤゲン台１を移動させる場合について説明する。
【００２７】
該ヤゲン台１を移動させる際には、先ず該ヤゲン台１が通常状態、即ち前記支持部３が直立状態（前記接地枠部５が接地した状態）で、前記取付け孔１６を介して前記ブロック部１１に前記嵌込み部１４を嵌合する。前記ハンドリング装置１３が前記ヤゲン台１に装着される。
【００２８】
この時、前記取付け孔１６の開口面積は、前記ブロック部１１よりも大きくなっており、前記嵌込み部１４の下面に前記脚部７の板厚よりも幅の大きい前記スリット１７が形成されているので、前記脚部７に妨げられることなく前記嵌込み部１４を前記ブロック部１１に容易に嵌込むことができる。
【００２９】
前記ハンドリング装置１３の装着後は、作業者が前記取手部１５を介して、該取手部１５が略水平となる迄前記ヤゲン台１を傾ける。該ヤゲン台１を傾けることで、前記接地枠部５が地面から離反し、前記ローラ６が接地する。この時、前記取手部１５は作業者によって充分に握られ、傾斜状態を確実に保持できる。更に、作業者の支持点は前記ヤゲン台１の転倒中心である前記ローラ６から前記取手部１５の延伸分だけ離反しており、作業者に掛かる負担も軽減される。
【００３０】
この状態で、前記取手部１５を介して前記ヤゲン台１を前方に押す、或は後方に引くことで、該ヤゲン台１を移動させることができる。
【００３１】
尚、図４は、該ヤゲン台１を傾けた際に、或は該ヤゲン台１の移動中に、該ヤゲン台１が転倒した状態を示している。該ヤゲン台１が転倒した際には、前記屈曲部１８が前記地面１９と接触し、前記ヤゲン台１の荷重を支持する。該ヤゲン台１と前記地面１９との間には足等を挾まない程度の隙間Ｈ、例えば３０ｃｍ程度の隙間が形成される。
【００３２】
上述の様に、本実施例では、超大径の配管を支持する前記ヤゲン台１の前記ブロック部１１に、前記取手部１５を有する前記ハンドリング装置１３を装着し、作業者は前記取手部１５を介して前記ヤゲン台１を傾け、前記ローラ６を接地させ、前記ヤゲン台１を移動させている。
【００３３】
従って、作業者は掴みにくい前記ブロック部１１を持って、前記ヤゲン台１を傾け、移動させる必要がないので、該ヤゲン台１の姿勢を容易に安定させることができ、該ヤゲン台１の転倒を抑止できると共に、該ヤゲン台１を容易に移動させることができる。
【００３４】
又、前記取手部１５は、前記ローラ６の回転方向と平行な方向、即ち前記ヤゲン台１の進行方向と平行な方向に延伸すると共に、該ヤゲン台１を傾けた際に略水平となる方向に延伸しているので、該ヤゲン台１の移動姿勢の維持及び移動を容易に行うことができ、該ヤゲン台１の取扱い性、作業性を向上させることができる。
【００３５】
又、前記嵌込み部１４の長辺の長さは、前記ブロック部１１の長辺の長さと略同等であり、該ブロック部１１に前記嵌込み部１４を嵌込んだ際には、前記ブロック部１１が全長に亘って前記嵌込み部１４に覆われるので、前記ヤゲン台１の移動中に前記ハンドリング装置１３が外れるのを防止できる。
【００３６】
又、前記ヤゲン台１が転倒した際には、前記取手部１５が地面と接触し、前記ヤゲン台１と地面との間には充分な隙間が形成されるので、該ヤゲン台１に足等を挾まれること等を防止することができる。
【００３７】
又、前記ローラ６は前記接地枠部５の側面に設けられ、移動時に前記ヤゲン台１を傾けた場合にのみ前記ローラ６が地面に接触する様になっているので、前記ヤゲン台１が超大径の配管等の重量物の荷重を安定して支持でき、又前記ローラ６には移動時のみ加重が掛るので、該ローラ６の耐久性を向上させることができる。
【００３８】
尚、本実施例では、前記取手部１５の先端に、下方に向って円弧状に１８０°屈曲させた前記屈曲部１８を形成しているが、該屈曲部１８の形状は、三角形状、矩形状或はＬ字状等作業者が前記ヤゲン台１を傾け易い形状、確実に握れる形状であれば他の形状であってもよい。又、前記屈曲部１８を形成しなくてもよい。
【００３９】
又、前記取手部１５の根本部分にフランジ部を形成し、前記取手部１５を前記嵌込み部１４に固着する際の溶接長さを長くすることで、前記取手部１５の耐荷重性を向上させてもよい。
【符号の説明】
【００４０】
１    ヤゲン台          ２    台座部
３    支持部            ６    ローラ
１１  ブロック部        １３  ハンドリング装置
１４  嵌込み部          １５  取手部
１６  取付け孔          １７  スリット
１８  屈曲部
【図１】
2015131369.tif 000003
【図２】
2015131369.tif 000004
【図３】
2015131369.tif 000005
【図４】
2015131369.tif 000006